(57)【特許請求の範囲】
【請求項１】
店舗のショーウインドウに外向きに取り付けられるディスプレイと、
前記ディスプレイを支持し、前記ディスプレイを上下に移動させる駆動手段と、
前記ディスプレイを配置する高さを決定する位置決定手段と、
前記位置決定手段が決定した前記ディスプレイの高さに前記ディスプレイを位置させるよう、前記駆動手段を制御する制御手段と、
を有し、
前記位置決定手段は、
前記ディスプレイの高さを決定するための判断材料データを取得する取得手段と、
前記取得手段が取得した前記判断材料データを利用して、前記ディスプレイの高さを決定する決定手段と、
を有し、
前記取得手段は、現在の時刻を前記判断材料データとして取得し、
前記決定手段は、現在の時刻に応じて、前記ディスプレイの高さを決定し、店舗の周辺が暗い時間帯には、前記ディスプレイの高さをショーウインドウの見通しがよい高さに決定する表示システム。
【請求項２】
請求項１に記載の表示システムにおいて、
前記決定手段は、店舗の周辺が明るい時間帯には、前記ディスプレイの高さを通行人の目線の高さに決定する表示システム。
【請求項３】
請求項２に記載の表示システムにおいて、
前記前記ショーウインドウの見通しがよい高さは１ｍ未満又は２ｍ以上であり、前記通行人の目線の高さは１ｍ以上２ｍ未満である表示システム。
【請求項４】
店舗のショーウインドウに外向きに取り付けられるディスプレイと、
前記ディスプレイを支持し、前記ディスプレイを上下に移動させる駆動手段と、
前記ディスプレイを配置する高さを決定する位置決定手段と、
前記位置決定手段が決定した前記ディスプレイの高さに前記ディスプレイを位置させるよう、前記駆動手段を制御する制御手段と、
を有し、
前記位置決定手段は、
前記ディスプレイの高さを決定するための判断材料データを取得する取得手段と、
前記取得手段が取得した前記判断材料データを利用して、前記ディスプレイの高さを決定する決定手段と、
を有し、
前記取得手段は、前記ディスプレイを取り付けた前記店舗内の現在の顧客の人数を前記判断材料データとして取得し、
前記決定手段は、前記店舗内の現在の顧客の人数に応じて、前記ディスプレイの高さを決定する、表示システム。
【請求項５】
請求項４に記載の表示システムにおいて、
前記決定手段は、
前記店舗内の現在の顧客の人数が所定の数以上の場合は、前記ディスプレイの高さを１ｍ以上２ｍ未満の範囲に決定し、前記店舗内の現在の顧客の人数が所定の数未満の場合は、前記ディスプレイの高さを１ｍ未満または２ｍ以上の範囲に決定する表示システム。
【請求項６】
コンピュータが、
店舗のショーウインドウに外向きに取り付けられたディスプレイを配置する高さを決定する位置決定工程と、
前記位置決定工程で決定した前記ディスプレイの高さに前記ディスプレイを位置させるよう、前記ディスプレイを保持する駆動手段を制御する制御工程と、
を実行し、
前記位置決定工程では、
前記ディスプレイの高さを決定するための判断材料データを取得する取得工程と、
前記取得工程で取得した前記判断材料データを利用して、前記ディスプレイの高さを決定する決定工程と、を実行し、
前記取得工程では、現在の時刻を前記判断材料データとして取得し、
前記決定工程では、現在の時刻に応じて、前記ディスプレイの高さを決定し、店舗の周辺が暗い時間帯には、前記ディスプレイの高さをショーウインドウの見通しがよい高さに決定する、表示システムの動作方法。
【請求項７】
コンピュータが、
店舗のショーウインドウに外向きに取り付けられたディスプレイを配置する高さを決定する位置決定工程と、
前記位置決定工程で決定した前記ディスプレイの高さに前記ディスプレイを位置させるよう、前記ディスプレイを保持する駆動手段を制御する制御工程と、
を実行し、
前記位置決定工程では、
前記ディスプレイの高さを決定するための判断材料データを取得する取得工程と、
前記取得工程で取得した前記判断材料データを利用して、前記ディスプレイの高さを決定する決定工程と、を実行し、
前記取得工程では、前記ディスプレイを取り付けた前記店舗内の現在の顧客の人数を前記判断材料データとして取得し、
前記決定工程では、前記店舗内の現在の顧客の人数に応じて、前記ディスプレイの高さを決定する、表示システムの動作方法。
【発明の詳細な説明】
【技術分野】
【０００１】
本発明は、表示システム、店舗、および、表示システムの動作方法に関する。
【背景技術】
【０００２】
近年、デジタルサイネージの応用例として、コンビニなどの店舗のショーウインドウにディスプレイを外向きに設置し、通行人などに向けて広告などの情報を流す技術がある。
【０００３】
ここで、特許文献１には、ディスプレイの位置（高さ方向、左右方向）を自在に移動することができる画像形成装置が記載されている。この画像形成装置は、視聴者の位置、姿勢などに応じた好ましい位置にディスプレイを移動させることを目的とし、視聴者からの操作に応じてディスプレイの位置を変更するよう構成されている。
【先行技術文献】
【特許文献】
【０００４】
【特許文献１】特開平９−２３０７９８号公報
【発明の概要】
【発明が解決しようとする課題】
【０００５】
デジタルサイネージにおいて、ディスプレイを介して提供する情報をより多くの人に届けるためには、ディスプレイの位置は重要である。人目に付きやすい位置にディスプレイが配置されておれば、より多くの人がこのディスプレイを見るため、より多くの人に情報を提供することができる。
【０００６】
コンビニなどの店舗のショーウインドウにディスプレイを外向きに設置する場合、情報提供のターゲットは店舗の外にいる通行人である。かかる場合、立った状態の人の目線の高さにディスプレイを配置するのが好ましい。
【０００７】
一方で、コンビニなどの店舗、特に深夜営業を行っている店舗のショーウインドウは、見通しを良くすることが望まれる。例えば店舗内で事件が起きた際、ショーウインドウの見通しを良くしておけば、店舗内で起きている状況を店舗の外にいる通行人が気付き、警察に通報することができる。
【０００８】
このように、防犯上、コンビニなどの店舗のショーウインドウは、見通しを良くすることが望まれる。しかし、店舗のショーウインドウに、店舗の外にいる通行人の目に付きやすいようディスプレイを設置すると、十分な見通しが確保できなくなる。
【０００９】
そこで、本発明では、コンビニなどの店舗のショーウインドウに外向きにディスプレイを配置する表示手段であって、デジタルサイネージとしての要求および防犯上の要求を十分に満たす表示技術を提供することを課題とする。
【課題を解決するための手段】
【００１０】
本発明によれば、店舗のショーウインドウに外向きに取り付けられるディスプレイと、前記ディスプレイを支持し、前記ディスプレイを上下に移動させる駆動手段と、前記ディスプレイを配置する高さを決定する位置決定手段と、前記位置決定手段が決定した前記ディスプレイの高さに前記ディスプレイを位置させるよう、前記駆動手段を制御する制御手段と、を有し、前記位置決定手段は、前記ディスプレイの高さを決定するための判断材料データを取得する取得手段と、前記取得手段が取得した前記判断材料データを利用して、前記ディスプレイの高さを決定する決定手段と、を有する表示システムが提供される。
【００１１】
また、本発明によれば、前記表示システムを備えた店舗が提供される。
【００１２】
また、本発明によれば、店舗のショーウインドウに外向きに取り付けられるディスプレイを配置する高さを決定するための判断材料データを取得する取得工程と、前記取得工程で取得した前記判断材料データを利用して、前記ディスプレイの高さを決定する決定工程と、前記決定工程で決定した前記ディスプレイの高さに前記ディスプレイを位置させるよう、前記ディスプレイを上下に移動させる駆動工程と、を有する表示システムの動作方法が提供される。
【発明の効果】
【００１３】
本発明によれば、店舗のショーウインドウに外向きにディスプレイを配置する表示手段であって、デジタルサイネージとしての要求および防犯上の要求を十分に満たす表示技術を提供することができる。
【図面の簡単な説明】
【００１４】
【図１】本実施形態の表示システムの一例を示す機能ブロック図である。
【図２】本実施形態の表示システムの一例を説明するための概念図である。
【図３】本実施形態の表示システムの一例を説明するための概念図である。
【図４】本実施形態の駆動部の一例を示す図である。
【図５】本実施形態の駆動部の一例を示す図である。
【図６】本実施形態の表示システムの動作方法の一例を示すフローチャート図である。
【図７】本実施形態の表示システムの動作方法の一例を示すフローチャート図である。
【発明を実施するための形態】
【００１５】
以下、本発明の実施の形態について、図面を用いて説明する。すべての図面において、同様な構成要素には同様の符号を付し、適宜説明を省略する。
【００１６】
なお、本実施形態の表示システムを構成する各部は、任意のコンピュータのＣＰＵ、メモリ、メモリにロードされたプログラム（あらかじめ装置を出荷する段階からメモリ内に格納されているプログラムのほか、ＣＤ等の記憶媒体やインターネット上のサーバ等からダウンロードされたプログラムも含む）、そのプログラムを格納するハードディスク等の記憶ユニット、ネットワーク接続用インタフェースを中心にハードウエアとソフトウエアの任意の組合せによって実現される。そして、その実現方法、装置にはいろいろな変形例があることは、当業者には理解されるところである。
【００１７】
また、本実施形態の説明において利用する機能ブロック図は、ハードウエア単位の構成ではなく、機能単位のブロックを示している。これらの図においては、本実施形態の表示システムは一つの物理的に分離した装置により実現されるよう記載されているが、その実現手段はこれに限定されない。すなわち、二つ以上の物理的に分離した装置を有線または無線で接続し、これら複数の装置により、本実施形態の表示システムを実現してもよい。
【００１８】
まず、本実施形態の表示システムの概要について図２および図３を用いて説明する。本実施形態の表示システムは、コンビニなどの店舗のショーウインドウに外向きにディスプレイを取り付ける。そして、現在の時刻または現在の店舗内の顧客の人数に応じて、ディスプレイを配置する高さを変更する。
【００１９】
このような構成によれば、例えば、図２に示すように、防犯上、ショーウインドウの見通しを良くすることが望まれる状況（例：深夜）においては、ショーウインドウの配置位置を低くし、ショーウインドウの見通しを確保することができる。一方、防犯上、ショーウインドウの見通しを良くすることが特に望まれない状況（例：昼間）においては、ショーウインドウの配置位置を、通行人の目線の高さにすることで、ディスプレイに表示している情報を、より多くの通行人に見てもらうことが可能となる。
【００２０】
または、図３に示すように、防犯上、ショーウインドウの見通しを良くすることが望まれる状況（例：深夜）においては、ショーウインドウの配置位置を高くすることで、ショーウインドウの見通しを確保することもできる。
【００２１】
すなわち、デジタルサイネージとしての要求および防犯上の要求を十分に満たす表示技術が実現される。
【００２２】
次に、本実施形態の表示システム１の構成について、詳細に説明する。図１は本実施形態の表示システム１の構成の一例を示す機能ブロック図である。図に示すように、本実施形態の表示システム１は、ディスプレイ１０と、駆動部２０と、位置決定部３０と、制御部４０と、を有する。そして、位置決定部３０は、取得部３１と、決定部３２と、を有する。以下、各部の構成について詳細に説明する。
【００２３】
ディスプレイ１０は、店舗のショーウインドウに外向きに取り付けられる。ディスプレイ１０は、例えば、いわゆる高輝度型の液晶ディスプレイまたはプラズマディスプレイとすることができる。このようなディスプレイ１０を利用すれば、太陽光に照らされた明るい環境においても、視聴者は、ディスプレイ１０に表示されている内容を十分に認識することができる。その結果、デジタルサイネージとしての要求を十分に満たすことができる。なお、ディスプレイ１０の大きさは特段制限されないが、例えば、４６インチ程度であってもよい。
【００２４】
ここで、ディスプレイ１０が取り付けられる店舗としては、ショーウインドウを有する店舗であって、防犯上、ショーウインドウの見通しを良くすることが望まれる店舗であれば特段制限されず、あらゆる業種の店舗が該当する。例えば、コンビニエンスストア、スーパーマーケット、百貨店、レンタルビデオ店、ガソリンスタンド、ネットカフェなどの飲食店、カラオケ店などであってもよい。なお、この例示はあくまで一例であり、本実施形態の店舗は、これらに限定されない。
【００２５】
駆動部２０は、ディスプレイ１０を支持し、ディスプレイ１０を上下に移動させるよう構成されている。ディスプレイ１０を支持する手段およびディスプレイ１０を上下に移動させる手段は特段制限されず、あらゆる手段を利用することができる。
【００２６】
例えば、駆動部２０は、図４（ｂ）、図５（ｂ）に示すような、ねじまたはフックなどを用いてディスプレイを固定する固定部２１と、この固定部２１を支持するとともに固定部２１を上下にスライド移動させるよう構成された案内部２２と、固定部２１を上下に移動させる動力源となるモータ（図示せず）と、を有してもよい。図４（ｂ）はディスプレイ１０が横長になるよう支持する例であり、図５（ｂ）はディスプレイ１０が縦長になるよう支持する例である。また、図４（ａ）、図５（ａ）は、駆動部２０がディスプレイ１０を支持した状態を示す。
【００２７】
その他の駆動部２０の例としては、店舗内の天井から伸びたアームに固定されたフレームを用いて、ディスプレイ１０を支持してもよい。または、店舗内の床に配置された土台に固定されたフレームを用いて、ディスプレイ１０を支持してもよい。そして、ディスプレイ１０を支持しているフレームを、従来技術を利用して上下に移動させることで、ディスプレイ１０を上下に移動させることを実現してもよい。例えば、モータを利用し、フレームを固定しているアームや土台の長さが変更するように構成してもよい。なお、これらはあくまで一例であり、本実施形態の駆動部２０の構成はこれらに限定されない。
【００２８】
位置決定部３０は、ディスプレイ１０を配置する高さを決定する。位置決定部３０は、この構成を実現するため、取得部３１と、決定部３２と、を有する。
【００２９】
取得部３１は、ディスプレイの高さを決定するための判断材料データを取得する。判断材料データとしては、例えば、現在の時刻が考えられる。取得部３１が、このような判断材料データを取得する手段としては特段制限されないが、例えば、表示システム１に内蔵された時計から現在時刻を示すデータを取得してもよい。
【００３０】
その他、判断材料データとしては、ディスプレイ１０を取り付けた店舗内の現在の顧客の人数が考えられる。取得部３１が、このような判断材料データを取得する手段としては特段制限されないが、例えば、入口と出口が独立して設けられているような店舗の場合、人感センサーを利用することで実現してもよい。具体的には、店舗の入口および出口それぞれに人感センサーを配置しておく。そして、取得部３１は、このセンサーから取得した情報を利用して、店舗への人の出入りを認識するとともに、店舗内の現在の顧客の人数をカウントする。このようにして、取得部３１は、店舗内の現在の顧客の人数を示すデータを取得してもよい。
【００３１】
その他、取得部３１が店舗内の現在の顧客の人数を示すデータを取得する手段としては、店舗の出入口の様子を撮影する防犯カメラを利用することで実現してもよい。具体的には、取得部３１は、店舗の出入り口の様子を撮影する防犯カメラに記録された画像データをリアルタイムに取得し、解析する。そして、この画像データ内の人を認識し、各々を特定するとともに、その前後の画像データを利用して、特定した人の移動方向を追跡する。そして、特定した人の移動方向を基に、店舗内への人の出入りを判断し、店舗内の人の数をカウントしていくことで、店舗内の現在の顧客の人数を示すデータを取得してもよい。
【００３２】
その他の手段としては、赤外線サーモグラフィを利用することで実現してもよい。具体的には、取得部３１は、赤外線サーモグラフィを利用して、店舗内全体を撮影する。そして、取得部３１は、この画像データをリアルタイムに利用し、この画像データ内の人を認識する。そして、取得部３１は、認識した人の数をカウントすることで、店舗内の現在の顧客の人数を示すデータを取得してもよい。なお、取得部３１は、赤外線サーモグラフィで店舗の出入口の様子を撮影し、上記防犯カメラを利用した手段と同様の処理により、店舗内の現在の顧客の人数を示すデータの取得を実現してもよい。
【００３３】
決定部３２は、取得部３１が取得した判断材料データを利用して、ディスプレイ１０を配置する高さを決定する。
【００３４】
ここで、店舗のショーウインドウに外向きに取り付けられるディスプレイ１０の高さは、より多くの通行人に見てもらうためには、１ｍ以上２ｍ未満の範囲、より好ましくは、１．５ｍ以上２ｍ未満の範囲にするのがよい。このような範囲であれば、ディスプレイ１０は、大体、通行人の目線の高さに位置することとなる。その結果、ディスプレイに表示している情報を、より多くの通行人に見てもらえる。なお、ここでの「ディスプレイ１０の高さ」は、ディスプレイ１０の下辺位置の高さである（以下同様）。しかし、ディスプレイ１０のどの位置を基準にして、ディスプレイ１０の高さを規定するかは任意の設計事項である。例えば、ディスプレイ１０の上辺位置の高さを基準にして、ディスプレイ１０の高さを規定してもよい。
【００３５】
また、ディスプレイ１０の高さは、ディスプレイ１０を取り付けているショーウインドウの見通しを良くするためには、１ｍ未満または２ｍ以上の範囲、より好ましくは、０．８ｍ未満または２．２ｍ以上の範囲にするのがよい。このような範囲であれば、ディスプレイ１０は、大体、通行人の目線の高さからはずれることとなり、ショーウインドウの見通しは良くなる。
【００３６】
そこで、決定部３２が判断材料データを利用して、ディスプレイ１０を配置する高さを決定する処理は、例えば、以下のような処理であってもよい。
【００３７】
取得部３１が判断材料データとして、現在の時刻を示すデータを取得した場合、決定部３２は、現在の時刻に応じて、ディスプレイ１０の高さを決定する。
【００３８】
例えば、防犯上、ショーウインドウの見通しを良くすることが特に望まれない第１の時間帯においては、決定部３２はディスプレイ１０の高さを１ｍ以上２ｍ未満の範囲（または、１．５ｍ以上２ｍ未満の範囲）に決定してもよい。そして、防犯上、ショーウインドウの見通しを良くすることが望まれる第２の時間帯においては、決定部３２はディスプレイ１０の高さを１ｍ未満または２ｍ以上の範囲（または、０．８ｍ未満または２．２ｍ以上の範囲）に決定してもよい。
【００３９】
第１の時間帯は、店員の数および顧客の数が比較的多い時間帯であってもよい。または、第１の時間帯は、店舗の周辺が明るい時間帯であってもよい。例えば、第１の時間帯は、６時から２２時までの時間帯、または、７時から２１時までの時間帯であってもよい。
【００４０】
第２の時間帯は、店員の数および顧客の数が比較的少ない時間帯であってもよい。または、第２の時間帯は、店舗の周辺が暗くなる時間帯であってもよい。例えば、第２の時間帯は、２２時から６時までの時間帯、または、２１時から７時までの時間帯であってもよい。
【００４１】
なお、第１の時間帯および第２の時間帯は、１年の中で変更する概念であってもよい。例えば、日の出、日の入りの時間に応じて、第１の時間帯および第２の時間帯が定まってもよい。すなわち、日の出から日の入りまでの時間帯を第１の時間帯とし、日の入りから日の出までの時間帯を第２の時間帯としてもよい。
【００４２】
次に、取得部３１が判断材料データとして、ディスプレイ１０を取り付けた店舗内の現在の顧客の人数を取得した場合、決定部３２は、店舗内の現在の顧客の人数に応じて、ディスプレイ１０の高さを決定する。
【００４３】
例えば、店舗内の現在の顧客の人数が所定の数以上の場合、すなわち、防犯上、ショーウインドウの見通しを良くすることが特に望まれない場合には、決定部３２はディスプレイ１０の高さを１ｍ以上２ｍ未満の範囲（または、１．５ｍ以上２ｍ未満の範囲）に決定してもよい。そして、店舗内の現在の顧客の人数が所定の数未満の場合、すなわち、防犯上、ショーウインドウの見通しを良くすることが望まれる場合には、決定部３２はディスプレイ１０の高さを１ｍ未満または２ｍ以上の範囲（または、０．８ｍ未満または２．２ｍ以上の範囲）に決定してもよい。顧客の人数の所定の数は任意の設計事項であり、例えば、１人から１０人の範囲で任意に定めてもよい。
【００４４】
決定部３２は、あらかじめ、第１の時間帯および第２の時間帯を示すデータと、第１の時間帯および第２の時間帯それぞれの時間帯におけるディスプレイ１０の高さを定めたデータを保持しておき、これらのデータを利用することで上記構成を実現してもよい。第１の時間帯および第２の時間帯が動的に変化する構成の場合、決定部３２は、動的に変化する第１の時間帯および第２の時間帯を示すデータを、有線または無線の通信により外部機器から取得可能に構成し、取得した最新のデータを保持しておいてもよい。例えば、決定部３２は、毎日、日の出および日の入りの時間を外部機器から取得してもよい。なお、店舗内の現在の顧客の人数に応じてディスプレイ１０の高さを決定する処理は、上記に準じて実現することができる。
【００４５】
制御部４０は、位置決定部３０が決定したディスプレイ１０の高さにディスプレイ１０を位置させるよう、駆動部２０を制御する。すなわち制御部４０は、位置決定部３０が決定したディスプレイ１０の高さを示す情報を取得すると、この情報に従い、駆動部２０に制御信号を送るよう構成されている。そして、駆動部２０は、この制御信号に従い、ディスプレイ１０を上下に移動させ、ディスプレイ１０を配置する高さを変更する。
【００４６】
なお、ディスプレイ１０は、１ｍ以上２ｍ未満の範囲（または、１．５ｍ以上２ｍ未満の範囲）の任意の１つの高さと、１ｍ未満または２ｍ以上の範囲（または、０．８ｍ未満または２．２ｍ以上の範囲）の任意の１つの高さのみに位置するように構成し、制御部４０は、いずれか一方にディスプレイ１０を移動させるよう駆動部２０を制御するようにしてもよい。このようにすれば、ディスプレイ１０の高さを厳密に制御する必要がないため、シンプルな構成とすることができる。
【００４７】
次に、本実施形態の表示システムの動作方法について説明する。
【００４８】
本実施形態の表示システムの動作方法は、店舗のショーウインドウに外向きに取り付けられるディスプレイを配置する高さを決定するための判断材料データを取得する取得工程と、前記取得工程で取得した前記判断材料データを利用して、前記ディスプレイの高さを決定する決定工程と、前記決定工程で決定した前記ディスプレイの高さに前記ディスプレイを位置させるよう、前記ディスプレイを上下に移動させる駆動工程と、を有する。
【００４９】
以下、図６、７のフローチャート図を用いて、本実施形態の表示システムの動作方法の一例について詳細に説明する。
【００５０】
最初に、図６のフローチャート図を用いて、表示システムが、現在の時刻に応じて、ディスプレイの高さを変更する処理について説明する。
【００５１】
まず、ステップＳ１０（取得工程）では、表示システムは判断材料データとして現在の時刻データを取得する。
【００５２】
次に、ステップＳ２０（決定工程の一部）では、表示システムは、現在の時刻が、第１の時間帯から第２の時間帯に変更していないか、または、第２の時間帯から第１の時間帯に変更していないか判断する。
【００５３】
例えば、表示システムは、取得した現在の時刻データと、第１の時間帯および第２の時間帯の境目の時刻データ（以下、「境目時刻データ」という。）を大小比較する。具体的には、第１の時間帯が６時から２２時、第２の時間帯が２２時から６時の場合を考える。かかる場合の境目時刻データは、６時と２２時である。表示システムは、現在が第１の時間帯である場合には、この境目時刻データの中の、第１の時間帯の終了時刻である２２時の時刻データを利用して、この境目時刻データと、取得した現在の時刻データを大小比較する。一方、現在が第２の時間帯である場合には、表示システムは、第２の時間帯の終了時刻である６時の時刻データを利用して、この境目時刻データと、取得した現在の時刻データを大小比較する。そして、大小比較の結果、取得した現在の時刻と、境目時刻データとが一致した場合、表示システムは、第１の時間帯から第２の時間帯に、または、第２の時間帯から第１の時間帯に変更したと判断し、ステップＳ３０に進む（Ｓ２０のＹＥＳ）。一方、境目時刻データと、取得した現在の時刻データとの大小比較の結果、不一致であった場合には、表示システムは、ステップＳ１０に戻り、上記処理を繰り返す（Ｓ２０のＮＯ）。なお、この処理はあくまで一例であり、その他の処理により実現してもよい。
【００５４】
ステップＳ３０（決定工程の一部）では、表示システムは、店舗のショーウインドウに外向きに取り付けられるディスプレイを配置する高さを決定する。
【００５５】
例えば、表示システムは、あらかじめ、第１の時間帯におけるディスプレイの高さを定めたデータ（例：１．５ｍ）および第２の時間帯におけるディスプレイの高さを定めたデータ（例：０．８ｍ）を保持しておく。そして、このデータに従い、表示システムは、ディスプレイの高さを決定してもよい。
【００５６】
そして、ステップＳ４０（駆動工程）では、店舗のショーウインドウに外向きに取り付けられているディスプレイの高さを変更する。その後、ステップＳ１０に戻り、上記処理を繰り返す。
【００５７】
次に、図７のフローチャート図を用いて、表示システムが、現在の店舗内の顧客の人数に応じて、ディスプレイの高さを変更する処理について説明する。
【００５８】
まず、ステップＳ１０（取得工程）では、表示システムは、判断材料データとして現在の店舗内の顧客の人数を示すデータを取得する。
【００５９】
次に、ステップＳ２０（決定工程の一部）では、表示システムは、現在の顧客の人数が、あらかじめ定められた所定の数以上か所定の数未満かを判断する。そして、その後、その判断の結果が、その直前の判断結果（所定の数以上か所定の数未満かの判断結果）と、同じか否かを判断する。
【００６０】
例えば、取得した現在の顧客の人数を示すデータと、あらかじめ定められた所定の数を示すデータと、を大小比較する。そして、その大小比較の結果が、保持しておいた直前の大小比較の結果と同じか否かを判断することで実現してもよい。判断の結果、直前の判断結果と異なっていれば、表示システムは、ステップＳ３０に進む（Ｓ２０のＹＥＳ）。一方、判断の結果、直前の判断結果と同じであれば、表示システムは、ステップＳ１０に戻り、上記処理を繰り返す（Ｓ２０のＮＯ）。
【００６１】
ステップＳ３０（決定工程の一部）では、表示システムは、店舗のショーウインドウに外向きに取り付けられるディスプレイを配置する高さを決定する。
【００６２】
例えば、表示システムは、あらかじめ、店舗内の現在の顧客の人数が所定の数以上の場合のディスプレイの高さを定めたデータ（例：１．５ｍ）、および、店舗内の現在の顧客の人数が所定の数未満の場合のディスプレイの高さを定めたデータ（例：０．８ｍ）を保持しておく。そして、このデータに従い、表示システムは、ディスプレイの高さを決定してもよい。
【００６３】
そして、ステップＳ４０（駆動工程）では、店舗のショーウインドウに外向きに取り付けられているディスプレイの高さを変更する。その後、ステップＳ１０に戻り、上記処理を繰り返す。
【００６４】
このような本実施形態の表示システムおよびこの表示システムを備えた店舗によれば、防犯上の要求を十分に満たしつつ、店舗のショーウインドウに外向きにディスプレイを配置し、このディスプレイを利用して様々な情報を、店舗外にいる通行人に十分に提供することができる。
以下、参考形態の例を付記する。
１．  店舗のショーウインドウに外向きに取り付けられるディスプレイと、
前記ディスプレイを支持し、前記ディスプレイを上下に移動させる駆動手段と、
前記ディスプレイを配置する高さを決定する位置決定手段と、
前記位置決定手段が決定した前記ディスプレイの高さに前記ディスプレイを位置させるよう、前記駆動手段を制御する制御手段と、
を有し、
前記位置決定手段は、
前記ディスプレイの高さを決定するための判断材料データを取得する取得手段と、
前記取得手段が取得した前記判断材料データを利用して、前記ディスプレイの高さを決定する決定手段と、
を有する表示システム。
２．  １に記載の表示システムにおいて、
前記取得手段は、現在の時刻を前記判断材料データとして取得し、
前記決定手段は、現在の時刻に応じて、前記ディスプレイの高さを決定する、表示システム。
３．  ２に記載の表示システムにおいて、
前記決定手段は、
第１の時間帯は、前記ディスプレイの高さを１ｍ以上２ｍ未満の範囲に決定し、第２の時間帯は、前記ディスプレイの高さを１ｍ未満または２ｍ以上の範囲に決定する表示システム。
４．  ３に記載の表示システムにおいて、
前記第１の時間帯は６時から２２時までの時間帯であり、前記第２の時間帯は２２時から６時までの時間帯である表示システム。
５．  １に記載の表示システムにおいて、
前記取得手段は、前記ディスプレイを取り付けた前記店舗内の現在の顧客の人数を前記判断材料データとして取得し、
前記決定手段は、前記店舗内の現在の顧客の人数に応じて、前記ディスプレイの高さを決定する、表示システム。
６．  ５に記載の表示システムにおいて、
前記決定手段は、
前記店舗内の現在の顧客の人数が所定の数以上の場合は、前記ディスプレイの高さを１ｍ以上２ｍ未満の範囲に決定し、前記店舗内の現在の顧客の人数が所定の数未満の場合は、前記ディスプレイの高さを１ｍ未満または２ｍ以上の範囲に決定する表示システム。
７．  １から６のいずれか一に記載の表示システムを備えた店舗。
８．  店舗のショーウインドウに外向きに取り付けられるディスプレイを配置する高さを決定するための判断材料データを取得する取得工程と、
前記取得工程で取得した前記判断材料データを利用して、前記ディスプレイの高さを決定する決定工程と、
前記決定工程で決定した前記ディスプレイの高さに前記ディスプレイを位置させるよう、前記ディスプレイを上下に移動させる駆動工程と、
を有する表示システムの動作方法。
【符号の説明】
【００６５】
１    表示システム
１０  ディスプレイ
２０  駆動部
２１  固定部
２２  案内部
３０  位置決定部
３１  取得部
３２  決定部
４０  制御部
【図１】
0005640360.tif 000002
【図２】
0005640360.tif 000003
【図３】
0005640360.tif 000004
【図４】
0005640360.tif 000005
【図５】
0005640360.tif 000006
【図６】
0005640360.tif 000007
【図７】
0005640360.tif 000008